(57)【要約】      （修正有）【課題】天板の実質的な長さを伸長でき、デザイン的にも、使い勝手の良い伸縮テーブルにおいて簡易天板拡張可能なテーブルを提供する。【解決手段】簡易天板伸縮可能なテーブルは、長方形の構造枠体４内の中間位置に数箇所の中間桟枠体を設け、構造枠体の隅に脚１９を設けて、移動テーブル台の主天板１二枚と中央部に据え付ける副天板２を有する。主天板を安定にスムーズに駆動させるために、長方形の構造枠体の両横長手枠材の内側面に特殊レールを挿着して、二枚の主天板の裏面の両縁側部に定着させた二連ローラー付き駆動体を摺動させて、中央部に設置する副天板は、中間桟枠体内に横方向で収納させて、テーブル全体を伸長させるときに、主天板を左右に移動させて、副天板を取り出して中央部の構造枠体の両横長手枠材の中央部上面に存在するダボ挿入可能な位置に嵌め込んで固定できる。【選択図】図１
0003233435.tif 000002
【実用新案登録請求の範囲】
【請求項１】
伸縮可能なテーブルである、長さ１０００〜２０００ｍｍ、幅５００〜１０００ｍｍの長方形の構造枠体で、前記構造枠体内の中間位置に１〜５箇所の中間桟枠体を、また前記構造枠体の２〜４箇所の隅に２〜４本の脚を設けて、移動テーブル台の主天板の二枚と中央部に据え付ける副天板の一枚〜二枚を持ち、主天板を安定にスムーズに駆動させるために、長方形の構造枠体の両横長手枠材の内側面に特殊レールを挿着して、二枚の主天板の裏面の両縁側部に定着させた二連ローラー付き駆動体を摺動させて、中央部に設置する副天板は、厚さ２０〜５０ｍｍ、幅６００〜１２００ｍｍ、長さ３００〜８００ｍｍである長方形体であり、主天板の下部の長方形の構造枠体の中間位置に存在する１〜５箇所の中間桟枠体内に横方向で収納させて、テーブル全体を伸長させるときに、主天板を左右に移動させて、副天板を取り出して中央部の構造枠体の両横長手枠材の中央部上面に存在するダボ挿入可能な穴位置に嵌め込んで固定できるようになっていることを特徴とする簡易天板伸縮可能なテーブル。
【請求項２】
長方形の構造枠体の両横長手枠材の内側面に挿着した特殊レールは、樹脂製、又が金属製で、略Ｕ型で上部にローラーの接触面になる傾斜部を両側に持ち、底部にガイド用の溝形態のガイド溝部をもって、嵌めこみと固定を十分にするために上部と底部にフイン状部をもけたものであり、上部の幅１２〜１８ｍｍ、底部の幅６〜９ｍｍ、高さ５〜８ｍｍの寸法であり、内部のローラーの接触面になる傾斜部は、２〜４ｍｍの幅で６０〜８０°の角度で傾斜しており、ローラーのガイド溝部は、接触する溝部内部の溝形態の幅３〜６ｍｍ、深さ２〜５ｍｍであって、二連ローラー付き駆動体が特殊レールをスムーズに摺動できるようになり、特殊レールは長方形の構造枠体である幅３０〜６０ｍｍ、高さ５０〜８０ｍｍの木質材の両横長手枠材の内側面で前記中間桟枠体の上部に挿着されていることを特徴とする請求項１に記載の簡易天板伸縮可能なテーブル。
【請求項３】
移動テーブル台の各主天板は、厚さ２０〜５０ｍｍ、長さ６００〜１８００ｍｍ、幅６００〜１２００ｍｍの長方形の木製盤であって、表面には０．２〜２ｍｍの化粧板を貼り付けており、前記木製盤の裏面の中心部付近での両縁に、ローラーとして中心部に幅３〜６ｍｍ、高さ２〜５ｍｍの凸形状で、凸形状の裾野部に２〜４ｍｍの幅で６０〜８０°の角度で傾斜部を設けた幅５〜８ｍｍ、直径１５〜２０ｍｍの樹脂製車輪を２個取り付けた二連ローラー付き駆動体に固着して、前記木製盤の天板の安定化のために主天板の二体に計４個の駆動体を固着して、各天板が密着に接合できるように各主天板，及び各副天板の接合面にロック機能金具を取り付けていることを特徴とする請求項１、又は請求項２に記載の簡易天板伸縮可能なテーブル。
【請求項４】
長方形の構造枠体で、前記枠体内に中間位置に１〜５箇所の中間桟枠体は、伸長可能にする一枚〜二枚の副天板を横方向で格納しておく箇所であり、１〜５本の中間桟枠体は副天板を横方向に安定的に収納しできるように、中心部に副天板が位置することができるように２個のゴム製の設置安定具を副天板の長さの幅で２個取り付け、中心の中間桟枠体は副天板を安定に固定させるように両端に２個のゴム製の設置安定具を取り付けて、長方形の構造枠体の副天板を取り付ける位置に２〜８ｍｍ径、深さ３〜８ｍｍのダボ穴を設けていることを特徴とする請求項１〜請求項３のいずれかに記載の簡易天板伸縮可能なテーブル。
【請求項５】
厚さ２０〜５０ｍｍ、幅６００〜１２００ｍｍ、長さ３００〜６００ｍｍである長方形体である一枚〜二枚の副天板は、表面を二枚の主天板と同様又は異質の化粧板にして、裏面に各四隅付近に、ロック機能金具とダボ金具をそれぞれ相手位置に合わせて取り付けて、主天板、及び副天板の縁部は天板厚さの１／３〜２／３の厚さになるように１０〜３０ｍｍ幅で傾斜を設けて、安全性と装飾性を高めていることを特徴とする請求項１〜請求項４のいずれかに記載の簡易天板伸縮可能なテーブル。
【考案の詳細な説明】
【技術分野】
【０００１】本考案は、二枚の天板を構造枠体に取り付けたレールによって調節することで一枚の天板嵌め込んで実質的長さを伸縮できるようにしている簡易天板拡張可能なテーブルに関するものである。
【背景技術】
【０００２】従来より、テーブルには、必要に応じて天板の実質的な長さを伸ばすことができるようにしたものがある。そして、天板の長さを伸長する際、天板の端部に蝶着された副天板を揺動させ、副天板の上面を天板と面一にするものがある。【０００３】  天板の実質的な長さを伸長でき、かつ、デザイン的にも、使い勝手の良い伸縮テーブルを提供するために、伸縮可能なテーブルであって、長さ９００〜１８００ｍｍ、幅９００〜１２００ｍｍの長方形の構造枠体１１で、該枠体内１１に中間位置に２箇所の中間桟枠体を、また該枠体１１の４箇所の隅に４本の脚７を設け、移動テーブル台の主天板１の二枚と中央部に上昇する副天板２を持ち、構造枠体１１の長手枠材の両端位置に取り付けている二枚の主天板１の厚さと同等な厚さで、中央部に幅９００〜１２００ｍｍ、長さ３００〜６００ｍｍである長方形の上昇する天板を構成し、主天板の下部にピン付きスライドレールと、そのピンの摺動によって各天板の移動を推進させるガイド溝付きガイド体とを、両サイド面に取り付ける伸縮可能な金具を使用したものが提案されている（特許文献１参照）。【０００４】操作が簡単な伸縮テーブルを提供するために、伸縮テーブルは筐体、四つの脚、固定板および二つの可動板を備える。筐体は二つの伸縮管および二つの連結管から構成される。二つの伸縮管２０は平行に配置され、それぞれ外管２１と、外管の内部に装着された二つの内管２２と、外管の中央に配置された歯車２３とを有する。二つの内管はそれぞれ歯車と噛み合う列状歯部２２１を有し、同調伸縮ができる。二つの内管はそれぞれ外側端部に可動機構２６を有し、内部に上昇ユニット２７を有する。四つの脚は筐体の下方に配置され、固定板は筐体の上方に配置される。二つの可動板は一側が可動機構に装着され、他側が固定板に装着される。二つの可動板は並んで小型天板を構成するか、分離して固定板に並んで大型天板を構成する。内管の上昇ユニットは可動板の自由端を上昇させ、伸縮、拡張および収納を行うテーブルである。（特許文献２参照）。【０００５】リンク機構を介して拡張板を天板の周囲から張り出させることで、天板の面積を拡張させることができるようにしたテーブルとして、テーブルは、天板を有するテーブル本体、テーブル本体から垂下する脚部を備える。テーブル本体は、天板の中央の下側に位置し、脚部に支持される中央部材、中央部材に一端部が連結され、他端部が拡張板に固定され、当該他端部を一端部に対して収縮可能とし、短縮状態において拡張板を天板の下側に収納させ、伸長状態において拡張板を天板の周囲から張り出させ、天板の面積を拡張可能なリンク機構を備えるものが提案されている（特許文献３参照）。【０００６】  天板面積を広げた場合でも副天板上に加わる荷重を安定して支持することができ、しかも単純な構造で簡単な操作により伸長できる天板伸長式テーブルとして、主天板の一方の側端に副天板を蝶着し、主天板を支持脚体に対して、主天板だけが支持脚体上に支持される位置と、主天板及び副天板の両方が支持脚体上に支持される位置とに移動可能に装着する天板伸長式テーブルを提案されている（特許文献４参照）。【０００７】天板の支持高さを変えることができるよう��したテーブル装置を提供するために、脚体に一端を回動可能に連結して所定間隔で設けられほぼ垂直に起立した状態から同方向に倒伏可能な一対の可動部材と、一対の可動部材の他端が回動可能に連結されこれら可動部材が起立した状態ではこれら可動部材によって第１の高さで支持され倒伏した状態では脚体によって第１の高さよりも低い第２の高さで支持される主天板６と、一端が一方の可動部材に連結され他端が脚体に連結されていて、伸長することで可動部材をほぼ垂直に起立した状態で保持し縮小することでほぼ水平に倒伏させるガススプリングと、主天板の下面側に設けられガススプリングの作動を操作する操作レバーとを具備するものが提案されている（特許文献５参照）。【０００８】  上記のように主天板と副天板を伸縮できるテーブルは提案されている。伸長時、収納伸縮時に操作が複雑で、伸長した時にテーブルの安全性と簡易性で劣った。特に機能と操作の複雑さから十分満足の得られるものがなかった。
【先行技術文献】
【特許文献】
【０００９】
【特許文献１】実用新案登録第３２１０９０２号公報
【特許文献２】実用新案登録第３２０５６１６号公報
【特許文献３】特開２０１２−１４７８０８号公報
【特許文献４】特開平１０−２４３８２３号公報
【特許文献５】特開２００５−５２４７７号公報
【考案の概要】
【考案が解決しようとする課題】
【００１０】一般に伸長できるテーブルには、必要に応じて折り畳みの天板の実質的な長さを伸ばすことができるようにしたものがある。そして、折り畳み部分を持ち上げて、天板の長さを伸長する際、天板の端部に蝶着された副天板を揺動させ、副天板の上面を天板と面一にするものがあるが、使用する場合に不便さを感じる。また構造が複雑で故障の折には、なかなか修理が困難であった。【００１１】しかし従来の伸縮できるテーブルでは、伸長させる二枚主天板を利用する際に、副天板を支持する下受部材が、利用者の足下を邪魔になったり、外部から目に付きやすく、組み立て操作で煩雑になっているなど、伸長させる場合には使い勝手に難点があった。主天板と副天板の実質的な長さを伸長でき、かつ、デザイン的にも、操作的にも、使い勝手の良い伸縮テーブルを提供することを目的とする。
【課題を解決するための手段】
【００１２】伸縮可能なテーブルである、長さ１０００〜２０００ｍｍ、幅５００〜１０００ｍｍの長方形の構造枠体で、前記構造枠体内の中間位置に１〜５箇所の中間桟枠体を、また前記構造枠体の２〜４箇所の隅に２〜４本の脚を設けて、移動テーブル台の主天板の二枚と中央部に据え付ける副天板の一枚〜二枚を持ち、主天板を安定にスムーズに駆動させるために、長方形の構造枠体の両横長手枠材の内側面に特殊レールを挿着して、二枚の主天板の裏面の両縁側部に定着させた二連ローラー付き駆動体を摺動させて、中央部に設置する副天板は、厚さ２０〜５０ｍｍ、幅６００〜１２００ｍｍ、長さ３００〜８００ｍｍである長方形体であり、主天板の下部の長方形の構造枠体の中間位置に存在する１〜５箇所の中間桟枠体内に横方向で収納させて、テーブル全体を伸長させるときに、主天板を左右に移動させて、副天板を取り出して中央部の構造枠体の両横長手枠材の中央部上面に存在するダボ挿入可能な穴位置に嵌め込んで固定できるようになっている簡易天板伸縮可能なテーブルである。【００１３】長方形の構造枠体の両横長手枠材の内側面に挿着した特殊レールは、樹脂製、又が金属製で、略Ｕ型で上部にローラーの接触面になる傾斜部を両側に持ち、底部にガイド用の溝形態のガイド溝部をもって、嵌めこみと固定を十分にするために上部と底部にフイン状部をもけたものであり、上部の幅１２〜１８ｍｍ、底部の幅６〜９ｍｍ、高さ５〜８ｍｍの寸法であり、内部のローラーの接触面になる傾斜部は、２〜４ｍｍの幅で６０〜８０°の角度で傾斜しており、ローラーのガイド溝部は、接触する溝部内部の溝形態の幅３〜６ｍｍ、深さ２〜５ｍｍであって、二連ローラー付き駆動体が特殊レールをスムーズに摺動できるようになり、特殊レールは長方形の構造枠体である幅３０〜６０ｍｍ、高さ５０〜８０ｍｍの木質材の両横長手枠材の内側面で前記中間桟枠体の上部に挿着されている。【００１４】移動テーブル台の各主天板は、厚さ２０〜５０ｍｍ、長さ６００〜１８００ｍｍ、幅６００〜１２００ｍｍの長方形の木製盤であって、表面には０．２〜２ｍｍの化粧板を貼り付けており、前記木製盤の裏面の中心部付近での両縁に、ローラーとして中心部に幅３〜６ｍｍ、高さ２〜５ｍｍの凸形状で、凸形状の裾野部に２〜４ｍｍの幅で６０〜８０°の角度で傾斜部を設けた幅５〜８ｍｍ、直径１５〜２０ｍｍの樹脂製車輪を２個取り付けた二連ローラー付き駆動体に固着して、前記木製盤の天板の安定化のために主天板の二体に計４個の駆動体を固着して、各天板が密着に接合できるように各主天板，及び各副天板の接合面にロック機能金具を取り付けている。また主天板、副天板は種々の材質、材料のものが使用できるが、主天板と副天板との接合面の接合度合い、模様形態と天板面の均一性からすると、メラミン樹脂製、或は無機質模様のガラス製のものが好ましい。【００１５】長方形の構造枠体で、前記枠体内に中間位置に１〜５箇所の中間桟枠体は、伸長可能にする一枚〜二枚の副天板を横方向で格納しておく箇所であり、１〜５本の中間桟枠体は副天板を横方向に安定的に収納しできるように、中心部に副天板が位置することができるように２個のゴム製の設置安定具を副天板の長さの幅で２個��り付け、中心の中間桟枠体は副天板を安定に固定させるように両端に２個のゴム製の設置安定具を取り付けて、長方形の構造枠体の副天板を取り付ける位置に２〜８ｍｍ径、深さ３〜８ｍｍのダボ穴を設けている。【００１６】厚さ２０〜５０ｍｍ、幅６００〜１２００ｍｍ、長さ３００〜６００ｍｍである長方形体である一枚〜二枚の副天板は、表面を二枚の主天板と同様又は異質の化粧板にして、裏面に各四隅付近に、ロック機能金具とダボ金具をそれぞれ相手位置に合わせて取り付けて、主天板、及び副天板の縁部は天板厚さの１／３〜２／３の厚さになるように１０〜３０ｍｍ幅で傾斜を設けて、安全性と装飾性を高めている。
【考案の効果】
【００１７】  本考案は、以上のように構成したので、二枚の主天板と副天板からなる天板の実質的な長さを変更できるだけでなく、邪魔な部材を持たず、テーブルの脚もすっきりした収まりのテーブルを実現でき、使い勝手を大幅に向上できる。簡易天板拡張可能なテーブルは、テーブルから二枚の主天板を移動させて、副天板を設置させて伸長状態にある簡単な操作である。このため、主天板と副天板における天板の天板面は同一面となり、簡単で使い勝手が容易である。また、任意の位置を、少なくとも収納位置及び使用最大伸長位置とすれば、不意の衝撃などにより、副天板が飛び出すことはなく、収納状態において引き出す状態も簡単に操作ができる。【００２０】  天板の実質的な長さを変更できるだけでなく、邪魔な部材を持たず、すっきりした収まりのテーブルを実現でき、使い勝手を大幅に向上できる。天板全体が支持脚体に対して水平方向に移動するため、天板を広げた状態でも、支持脚体から天板の片側だけがあまり横にせり出した形状にならず、転倒の危険は小さくなる。しかも、その伸長作業は、副天板の姿勢を変えて押すか引くだけと、きわめて単純で、操作し易い、簡単な機構で確実な伸長作業を行うことができる。
【図面の簡単な説明】
【００２１】
【図１】簡易天板伸縮可能なテーブルの斜視図  Ａ：  通常状態  Ｂ：  伸長した状態
【図２】簡易天板伸縮可能なテーブルを伸長させた状態の斜視図  Ａ：副天板を収納した状態  Ｂ：副天板を除いた内部状態
【図３】簡易天板伸縮可能なテーブルを伸長させるために副天板の取り付け状態の斜視図
【図４】簡易天板拡張可能なテーブルの裏面と構造枠体に取り付けたローラー、レールの構造図
【図５】簡易天板伸縮可能なテーブルの裏面の状態図  Ａ：  通常状態  Ｂ：  伸長した状態
【考案を実施するための形態】
【００２２】  本考案のテーブルでは、４本の脚により水平に支持される主天板と、前記主天板の端部に伸長できる副天板とを備え、副天板の裏面に取り付けている伸長棒によって、前記主天板の下面に、スライドレールにてガイド体の溝に沿ってスライドさせることによって、副天板を収納できるようにして、伸長時にその副天板の上面が前記主天板の上面と面一になる伸長位置との間で揺動できる。
【００２３】  また副天板の下部に取り付けられた仲長棒が幕板の溝で支持され、前記主天板と前記副天板とには、前記副天板が伸長位置にあるときにピン付きスライドレールと溝付きガイド板とに並設され、前記幕板とガイド体の溝には、スライドレールが、スライドを自在に係合できるようにしており、前記スライドレールには、収納位置にある際に前記副天板を、上昇移動できるようにしている。
【実施例１】
【００２４】図１に示すように、伸縮可能なテーブルである、長さ１３１０ｍｍ、幅６４０ｍｍの長方形の構造枠体で、前記枠体内に中間位置に幅５５ｍｍの板材を１５２ｍｍの間隔で３箇所の中間桟枠体を、また前記構造枠体の４箇所の隅に４本の７０ｍｍ幅の脚を設けて、移動テーブル台の主天板の二枚と中央部に据え付ける副天板を持ち、主天板を安定にスムーズに駆動させるために、長方形の構造枠体の両横長手枠材の内側面に特殊レールを挿着して、二枚の主天板の裏面の両縁側部に定着させた二連ローラー付き駆動体を摺動させて、中央部に設置する副天板は、厚さ２９ｍｍ、幅６１０ｍｍ、長さ４００ｍｍである長方形体であり、主天板の下部の長方形の構造枠体の中間位置に存在する３箇所の中間桟枠体内に横方向で収納させて、テーブル全体を伸長させるときに、主天板を左右に移動させて、副天板を取り出して中央部の構造枠体の両横長手枠材の中央部上面に存在する７．８ｍｍφ＊高さ８ｍｍのダボ挿入可能な位置に嵌め込んで固定できるようになっている簡易天板拡張可能なテーブルであった。【００２５】図４に示すように、長方形の構造枠体の両横長手枠材の内側面に挿着した特殊レールは、金属製で、略Ｕ型で上部にローラーの接触面になる傾斜部を両側に持ち、底部にガイド用の溝部の溝形態をもって、嵌めこみと固定を十分にするために上部と底部にフイン状部をもけたものであり上部の幅１５ｍｍ、底部の幅７ｍｍ、高さ７ｍｍであり、内部のローラーの接触面になる傾斜部は、２ｍｍの幅で６０°の角度で傾斜しており、ローラーのガイド部は、接触する溝部内部の溝形態の幅４ｍｍ、深さ３ｍｍであって、幅５５ｍｍ、長さ３００ｍｍ、厚さ３０ｍｍの二連ローラー付き駆動体が特殊レールをスムーズに摺動できるようになり、特殊レールは長方形の構造枠体である幅３０ｍｍ、高さ５５ｍｍの木質材の両横長手枠材の内側面で中間桟枠体の上部に挿着された。【００２６】図２のＡ、Ｂに示したように移動テーブル台の各主天板は、厚さ２９ｍｍ、長さ７００ｍｍ、幅８５０ｍｍの長方形の通常の木製盤であって、表面には０．３ｍｍのメラミン化粧板を貼り付けており、前記木製盤の裏面の中心部付近の両縁に、ローラーの中心部に幅４ｍｍ、高さ２ｍｍの凸形状にして、凸形状の裾野部に２ｍｍの幅で６０°の角度で傾斜部を設けた幅８ｍｍ、直径１６ｍｍの樹脂製車輪を２個取り付けた図４の二連ローラー付き駆動体に主天板の縁から１３０ｍｍの位置に固着して、前記木製盤の天板の安定化のために二体の主天板に計４個の駆動体を使用して、各天板の接合が密着に安定化するように各主天板、及び副天板の接合面にロック機能金具を取り付けた。【００２７】図３に示すように長方形の構造枠体で、前記枠体内に中間位置に３箇所の中間桟枠体は、伸長可能にする副天板を横方向で格納しておく箇所であり、３本の中間桟枠体の両端２本は副天板を横方向に安定的に収納しできるように、中心部に副天板が位置することができるように２個の半径５０ｍｍの半円状ゴム製の設置安定具を副天板の長さの幅で２個取り付け、中心の中間桟枠体は副天板を安定に固定させるように両端に２個のゴム製の設置安定具を取り付けて、長方形の構造枠体の副天板を取り付ける位置に８ｍｍ径、深さ８ｍｍのダボ穴を設けた。【００２８】図３に示されるように、厚さ２９ｍｍ、幅６１０ｍｍ、長さ４００ｍｍである長方形体である副天板は、表面を二枚の主天板と同様又は異質の化粧板にして、裏面に各四隅付近に、ロック機能金具とダボ金具をそれぞれ相手位置に合わせて取り付けて、主天板、及び副天板の縁部は天板厚さの１／３の厚さになるように１０ｍｍ幅で傾斜を設けて、安全性と装飾性を高めた。また図１のＡからＢに伸長させたテーブルを示した。
【実施例２】
【００２９】実施例１と同様に図１のＡ，Ｂに示すように、伸縮可能なテーブルである、長さ１６１０ｍｍ、幅７４０ｍｍの長方形の構造枠体で、前記枠体内に中間位置に幅５５ｍｍの板材を１５２ｍｍの間隔で３箇所の中間桟枠体を、また前記構造枠体の４箇所の隅に４本の７５ｍｍ幅の脚を設けて、移動テーブル台の主天板の二枚と中央部に据え付ける副天板を持ち、主天板を安定にスムーズに駆動させるために、長方形の構造枠体の両横長手枠材の内側面に特殊レールを挿着して、二枚の主天板の裏面の両縁側部に定着させた二連ローラー付き駆動体を摺動させて、中央部に設置する副天板は、厚さ２９ｍｍ、幅８１０ｍｍ、長さ６００ｍｍである長方形体であり、主天板の下部の長方形の構造枠体の中間位置に存在する３箇所の中間桟枠体内に横方向で収納させて、テーブル全体を伸長させるときに、主天板を左右にスライド移動させて、副天板を取り出して中央部の構造枠体の両横長手枠材の中央部上面に存在する７．８ｍｍφ＊高さ８ｍｍのダボ挿入可能な位置に嵌め込んで固定できるようになっている簡易天板拡張可能なテーブルであった。【００３０】図２Ａに示すように、長方形の構造枠体の両横長手枠材の内側面に挿着した特殊レールは、樹脂製で、略Ｕ型で上部にローラーの接触面になる傾斜部を両側に持ち、底部にガイド用の溝部の溝形態をもって、嵌めこみと固定を十分にするために上部と底部にフイン状部をもけたものであり上部の幅１６ｍｍ、底部の幅７ｍｍ、高さ７ｍｍであり、内部のローラーの接触面になる傾斜部は、２ｍｍの幅で６０°の角度で傾斜しており、ローラーのガイド部は、接触する溝部内部の溝形態の幅４ｍｍ、深さ３ｍｍであって、幅５５ｍｍ、長さ３００ｍｍ、厚さ３０ｍｍの二連ローラー付き駆動体が特殊レールをスムーズに摺動できるようになり、特殊レールは長方形の構造枠体である幅３０ｍｍ、高さ５５ｍｍの木質材の両横長手枠材の内側面で中間桟枠体の上部に挿着された。【００３１】図２Ａ，Ｂに示したように移動テーブル台の各主天板は、厚さ２９０ｍｍ、長さ８１０ｍｍ、幅９５０ｍｍの長方形のメラミン製表面を持つ木製盤であって、表面には３ｍｍのメラミン化粧板を貼り付けており、前記のメラミン木製盤の裏面の中心部付近の両縁に、ローラーの中心部に幅４ｍｍ、高さ２ｍｍの凸形状にして、凸形状の裾野部に２ｍｍの幅で６００°の角度で傾斜部を設けた幅８ｍｍ、直径１６ｍｍの樹脂製車輪を２個取り付けた二連ローラー付き駆動体に主天板の縁から１３０ｍｍの位置に固着して、前記木製盤のメラミン表面の天板の安定化のために二体の主天板に計４個の駆動体を使用して、各天板の接合が密着に安定化するように各主天板，及び副天板の接合面にロック機能金具を取り付けた。【００３２】図３に示すように長方形の構造枠体で、前記枠体内に中間位置に３箇所の中間桟枠体は、伸長可能にする副天板を横方向で格納しておく箇所であり、３本の中間桟枠体の両端２本は副天板を横方向に安定的に収納しできるように、中心部に副天板が位置することができるように２個の半径５０ｍｍの半円状ゴム製の設置安定具を副天板の長さの幅で２個取り付け、中心の中間桟枠体は副天板を安定に固定させるように両端に２個のゴム製の設置安定具を取り付けて、長方形の構造枠体の副天板を取り付ける位置に８ｍｍ径、深さ８ｍｍのダボ穴を設けた。【００３３】図３に示されるように、厚さ２９ｍｍ、幅８１０ｍｍ、長さ５００ｍｍである長方形体である副天板は、表面を二枚の主天板と同様又は異質の化粧板にして、裏面に各四隅付近に、ロック機能金具とダボ金具をそれぞれ相手位置に合わせて取り付けて、主天板、及び副天板の縁部は天板厚さの１／４の厚さになるように１０ｍｍ幅で傾斜を設けて、安全性と装飾性を高めた。また図１のＡからＢに伸長させたテーブルを示した。
【実施例３】
【００３４】実施例１と同様に、強化ガラスに装飾性無機質模様フイルムを張った天板の裏面に基盤木製板を張り合わせているガラス複合材料を使用した伸縮可能なテーブルである、長さ２０００ｍｍ、幅１０００ｍｍの長方形の構造枠体で、前記枠体内に中間位置に３箇所の中間桟枠体を、また前記枠体の４箇所の隅に４本の脚を設けて、移動テーブル台の主天板の二枚と中央部に据え付ける副天板を持ち、主天板を安定にスムーズに駆動させるために、長方形の構造枠体の両横長手枠材の内側面に特殊レールを挿着して、二枚の主天板の裏面の両縁側部に定着させた二連ローラー付き駆動体を摺動させて、中央部に設置する副天板は、厚さ３０ｍｍ、幅１０００ｍｍ、長さ６００ｍｍである長方形体であり、主天板の下部の長方形の構造枠体の中間位置に存在する３箇所の中間桟枠体内に横方向で収納させて、テーブル全体を伸長させるときに、主天板を左右に移動させて、副天板を取り出して中央部の構造枠体の両横長手枠材の中央部上面に存在するダボ挿入可能な位置に嵌め込んで固定できるようになっている簡易天板拡張可能なテーブルであった。【００３５】長方形の構造枠体で、前記枠体内に中間位置に３箇所の中間桟枠体は、伸長可能にするガラス複合材料を使用した副天板を横方向で格納しておく箇所であり、３本の中間桟枠体の両端２本は副天板を横方向に安定的に収納しできるように、中心部に副天板が位置することができるように２個のゴム製の設置安定具を副天板の長さの幅で２個取り付け、中心の中間桟枠体は副天板を安定に固定させるように両端に２個のゴム製の設置安定具を取り付けて、長方形の構造枠体の副天板を取り付ける位置に５ｍｍ径、深さ５ｍｍのダボ穴を設けた。【００３６】厚さ３０ｍｍ、幅１０００ｍｍ、長さ６００ｍｍである長方形体である副天板は、表面を二枚の主天板と同様又は異質の化粧板にして、裏面に各四隅付近に、ロック機能金具とダボ金具をそれぞれ相手位置に合わせて取り付けて、主天板、及び副天板の縁部を天板厚さの２／３の厚さになるように３０ｍｍ幅で傾斜を設けて、安全性と装飾性を高めた強化ガラスに装飾性無機質模様フイルムを張った天板の裏面に基盤木製板を張り合わせているガラス複合材料を使用した伸縮可能なテーブルであり、主天板と副天板との接合面を密接になるようにしており、主天板と副天板と材質を変更させることも行った。
【符号の説明】
【００３７】１．主天板（左右テーブル）
２．副天板（中央テーブル）
３．レール
４．構造枠体
５．中間桟枠体
６．二連ローラー付き駆動体
７．車輪
８．ダボ穴
９．ダボ金具
１０．縁部
１１、設置安定具
１２．傾斜部
１３．溝部
１４．凸部
１５．上部
１６．底部
１７．フイン部
１８．ロック機能金具
１９．脚
２０．ローラー
【図１】
0003233435.tif 000003
【図２】
0003233435.tif 000004
【図３】
0003233435.tif 000005
【図４】
0003233435.tif 000006
【図５】
0003233435.tif 000007